(57)【要約】【課題】  本発明の目的は、切断工具部の傾斜位置調整を安価な構成で実現すると共に、容易に位置調整可能な卓上切断機を提供することである【解決手段】  規制手段は、ベース部２又は傾斜部材６の一方に前後摺動自在に設けられたストッパピン１３と、ベース部２上面に対する切断工具部８の位置が直角位置であるときにストッパピン１３が当接可能でストッパピン１３に対して垂直方向にベース部２又は傾斜部材８の他方にねじ嵌合したストッパボルト２０と、ベース部２上面に対する切断工具部８の位置が直角位置から傾斜４５度間であるときにストッパピン１３が当接可能な当接部２２ａ，２２ｂとを有し、傾斜部材６を傾斜させた際に、ストッパピン１３の摺動位置によってストッパピン１３がストッパボルト２０、当接部２２ａ，２２ｂと当接可能な構成とした。【選択図】  図３
2006188073.tif 000002
【特許請求の範囲】
【請求項１】
加工材を支持するベース部と、該べース部上方に切断工具を有する切断工具部と、前記ベース部及び前記切断工具部間に設けられ、前記ベース部に対して傾斜自在に軸支された傾斜部材と、該傾斜部材の傾斜を規制する規制手段を設けた卓上切断機であって、
前記規制手段は、前記ベース部又は前記傾斜部材の一方に前後摺動自在に設けられたストッパピンと、前記ベース部上面に対する前記切断工具部の位置が直角位置であるときに前記ストッパピンが当接可能で前記ストッパピンに対して垂直方向に前記ベース部又は前記傾斜部材の他方にねじ嵌合したストッパボルトと、前記ベース部上面に対する前記切断工具部の位置が直角位置から傾斜４５度間であるときに前記ストッパピンが当接可能な当接部とを有し、前記傾斜部材を傾斜させた際に、前記ストッパピンの摺動位置によって前記ストッパピンが前記ストッパボルト、前記当接部と当接可能な構成としたことを特徴とする卓上切断機。
【請求項２】
前記ストッパピンが第１の摺動位置にある際には、前記ストッパボルトは前記ストッパボルト及び前記当接部と当接不可であり、前記ストッパピンが第２の摺動位置にある際には、前記ストッパボルトは前記傾斜部材の傾斜位置に応じて前記ストッパボルトと当接可能であり、更に前記ストッパピンが第２の摺動位置よりも反第１の摺動位置側である第３の摺動位置にある際には、前記ストッパボルトは前記傾斜部材の傾斜位置に応じて前記当接部と当接可能であることを特徴とする請求項１記載の卓上切断機。
【発明の詳細な説明】
【技術分野】
【０００１】
本発明は、切断工具部の傾斜量を直角位置（０度）で規制するストッパ装置を備えた卓上切断機に関するものである。
【背景技術】
【０００２】
従来の傾斜式卓上切断機として、実開昭６３−４９９０１号公報に示されているものがある。従来の技術を図１４、図１５により説明する。
【０００３】
傾斜式卓上切断機の角度切断方法は、ベース１とベース１のほぼ中央に埋設されたターンテーブル２上面に加工材を載置し、まず、サイドハンドル１４を緩め、ベース１とターンテーブル２との固定状態を解除し、切断工具部８を支持するターンテーブル２を水平方向へ回動させ、切断工具部８を所望の位置まで回転させる。所望の位置に達したところで、サイドハンドル１４を締め付けてターンテーブル２とベース１を固定し、切断工具部８の水平角度位置を設定する。次に、切断工具部８を下方に揺動させて加工材に切込みを与え、切断完了後、切断工具部８を上限に戻し切断作業が完了する。
【０００４】
次に、傾斜切断方法は、ベース１とターンテーブル２上面に加工材を載置し、まず、クランプレバー５を緩め、切断工具部８を支持するホルダ６とベース１との固定状態を解除し、ホルダ６を左右方向へ回動させ、切断工具部８を所望の位置まで傾斜させる。所望の位置に達したところで、クランプレバー５を締め付けてホルダ６とベース１を固定し、切断工具部８の傾斜位置を設定する。次に、切断工具部８を下方に揺動させて加工材に切込みを与え、切断完了後、切断工具部８を上限に戻し切断作業が完了する。また、これらの角度切断と傾斜切断を組み合わせた複合切断も可能である。
【０００５】
複合切断の加工例として、図８〜図１３のようなモ−ルディング材１５（天井と壁との隅部に沿って設けられる化粧材）があり、θ角度が４５度と３８度のものがある。θが４５度のモ−ルディング材の場合、図のＣ部は右水平角度３５．３度、左傾斜角度３０度の位置へ切断工具部８を設定する。Ｄ部は左水平角度３５．３度、左傾斜角度３０度の位置へ切断工具部８を設定する。また、θが３８度のモ−ルディング材の場合、図のＣ部は右水平角度３１．６度、左傾斜角度３３．９度の位置へ切断工具部８を設定する。Ｄ部は左水平角度３１．６度、左傾斜角度３３．９度の位置へ切断工具部８を設定する。
【０００６】
切断工具部８の水平角度設定は、前記ターンテーブル２側に設けたインジケータ１５と、ベース１に設けた角度目盛の「３５．３」あるいは「３１．６」とを合わせ、タ−ンテ−ブル２の位置を設定し、サイドハンドル１４を締め付け固定する。
【０００７】
傾斜角度設定は、前記ホルダ６側に設けたインジケータ４と、ターンテーブル２に設けた傾斜目盛の「３０」あるいは「３３．９」とを合わせ、ホルダ６の位置を設定し、クランプレバー５で固定する。
【０００８】
また、従来の技術として、図１６に示すようなボ−ルインデックスによる傾斜部の構造がある。これは、任意の傾斜角度の位置にストッパ穴２３を有するターンテーブル２とホルダ６に挾持され、スプリング２４で押し付けられ、ホルダ６の傾斜回転により連動するスチ−ルボ−ル２５を備えている。傾斜角度設定はクランプレバ−５を緩め、切断工具部８を支持するホルダ６とターンテーブル２との固定状態を解除し、ホルダ６を左右方向へ回動させ、ターンテーブル２のストッパ穴２３へスチ−ルボ−ル２５がおさまる任意の傾斜角度位置において、クランプレバー５を締め付ける。
【０００９】
【特許文献１】実開昭６３−４９９０１号公報
【発明の開示】
【発明が解決しようとする課題】
【００１０】
従来の構造で切断工具部の傾斜角をベース１上面に対し所望の位置に設定する場合、上記したようにターンテーブル２の傾斜目盛とインジケータ４で合わせるため、視差による誤差が生じるとともに、重量のある切断工具部８を保持しながらクランプレバー５を締め付けなければならないため、正確な切断工具部８の傾斜位置設定が困難であった。
【００１１】
また、ボールインデックスによる傾斜部の構造では、切断工具部８の重量により、任意の傾斜位置で完全な位置決めができないといったことや、位置決めが不安定であるといった問題があった。
【００１２】
本発明の目的は、上記した従来技術の欠点をなくし、切断工具部の傾斜位置調整を安価な構成で実現すると共に、容易に位置調整可能な卓上切断機を提供することである。
【課題を解決するための手段】
【００１３】
上記目的は、加工材を支持するベース部と、べース部上方に切断工具を有する切断工具部と、ベース部及び切断工具部間に設けられ、ベース部に対して傾斜自在に軸支された傾斜部材と、傾斜部材の傾斜を規制する規制手段を設けた卓上切断機であって、規制手段は、ベース部又は傾斜部材の一方に前後摺動自在に設けられたストッパピンと、ベース部上面に対する切断工具部の位置が直角位置であるときにストッパピンが当接可能でストッパピンに対して垂直方向にベース部又は傾斜部材の他方にねじ嵌合したストッパボルトと、ベース部上面に対する切断工具部の位置が直角位置から傾斜４５度間であるときにストッパピンが当接可能な当接部とを有し、傾斜部材を傾斜させた際に、ストッパピンの摺動位置によってストッパピンがストッパボルト、当接部と当接可能な構成とすることにより達成される。
【発明の効果】
【００１４】
本発明によれば、切断工具部の直角位置を規制するストッパピンを利用して、直角位置から傾斜４５度の間の位置で傾斜位置を規制することが可能となり、切断工具部の傾斜位置調整を安価な構成で実現すると共に、容易に位置調整可能な卓上切断機を提供することが出来るようになる。
【発明を実施するための最良の形態】
【００１５】
本発明の実施形態を図１〜図７により説明する。図１は卓上切断機の左側面図、図２は図１の部分背面図、図３は図１の正面図、図４，図５は図２のＩ−Ｉ線断面図、図６は図３の左傾斜位置を示す正面図、図７は図３の右傾斜位置を示す正面図である。
【００１６】
図において、ベース１のほぼ中央にターンテーブル２を水平方向へ回動自在に埋設し、ベース１のみ又はベース１とターンテーブル２で加工材を載置するベース部を構成している。ターンテーブル２後部にホルダシャフト３を水平方向に突設し、ホルダシャフト３の軸心はターンテーブル２上面とほぼ一致するように位置させている。傾斜部材となるホルダ６はホルダシャフト３を支点として外周に傾斜目盛（図示せず）を有するターンテーブル２に対し左右傾斜自在に軸支されている。ホルダ６には傾斜目盛の傾斜角度を指示するインジケータ４を設けている。ターンテーブル２にはホルダシャフト３を中心とする長穴２ａを形成し、長穴２ａにはクランプレバー５が貫通し、クランプレバー５の先端に形成したねじ部をホルダ６後部に形成したねじ穴部にねじ嵌合させている。クランプレバー５を緩めると、ターンテーブル２とホルダ６の固定状態が解除され、ホルダ６はホルダシャフト３を支点として長穴２ａの範囲内で左右回動自在となり、クランプレバー５を締め付けると、ターンテーブル２とホルダ６が固定され、ホルダ６を任意の傾斜角度に設定することができる。
【００１７】
ホルダ６上方にはシャフト７を支点として、ベース１に対し上下揺動自在に切り込み用ハンドル１０を備えた切断工具部８が軸支されている。切断工具部８にはモートル９から軸１１を介して回転駆動する丸のこ等の切断工具１２が保持されている。
【００１８】
ターンテーブル２上面後方にアジャストボルト１８、１９が垂直方向にねじ嵌合している。一方、ホルダ６の前面にはストッパ２６が設けられている。ホルダ６を左右傾斜させると、所定の傾斜角度でストッパ２６の当接面２６ａ又は当接面２６ｂがアジャストボルト１８又はアジャストボルト１９の頭部に当接し、切断工具部８の左右傾斜位置を設定する。本実施例では、ストッパ２６をホルダ６を直角位置のとき、左右方向に４５度の角度で広がったＶ字状に形成することで、ホルダ６が左右４５度に傾斜した位置で当接面２６ａ又は当接面２６ｂが水平となり、アジャストボルト１８、１９とストッパ２６が面接触するようになっている。
【００１９】
切断工具部８の傾斜を直角、および任意（３０度、３３．９度）の位置で規制するストッパ部について説明する。ターンテーブル２にはストッパピン１３がホルダ６側に向けて前後摺動自在に嵌合している。ホルダ６にはストッパボルト２０がストッパピン１３に対し垂直方向にねじ嵌合している。なお、ストッパボルト２０は切断工具部８の位置が直角のときにストッパピン１３の先端外周に当接する位置に設けられている。ホルダ６にストッパピン１３の先端部１３ａが嵌合する係合部となる穴部２２を形成し、ストッパピン１３が穴部２２に挿脱自在となっている。なお、穴部２２は切断工具部８の傾斜位置が３０度から３３．９度のときにストッパピン１３が穴部２２に嵌合する位置に形成されている。
【００２０】
上記構成において、切断工具１２で加工材を切断する場合、まず、ハンドル１０を握り切断工具部８を下方に揺動させ切込みを与え、加工材切断完了後、切断工具部８を上限に戻す。
【００２１】
切断工具部８を傾斜させる場合は、クランプレバー５を緩め所望の傾斜角度になるよう、ターンテーブル２の傾斜目盛の所望の数値にインジケータ４を合わせ、クランプレバー５を締め傾斜位置を固定する。通常の傾斜切断角度は４５度であり、アジャストボルト１８、１９をホルダ６に突出したストッパ２６を当接させ傾斜量を設定し、切断作業を行う。
【００２２】
所望の傾斜位置（３０度、３３．９度）で切断する場合は、クランプレバー５を緩め所望の傾斜角度の近辺で、ストッパピン１３を穴部２２に挿通する。傾斜位置が３０度の場合は、穴部２２の一方の側面２２ａがストッパピン１３の先端外周に当接するようホルダ６をＡ方向に動かし、クランプレバー５を締め傾斜位置を固定する。傾斜位置が３３．９度の場合は、穴部２２の他方の側面２２ｂがストッパピン１３の先端外周に当接するようホルダ６をＢ方向に動かし、クランプレバー５を締め傾斜位置を固定する。
【００２３】
次に、傾斜切断から直角切断（０度切断）する場合、ターンテーブル２の傾斜スケールとインジケータ４を見ながら直角位置付近に戻し、次に、ストッパピン１３とストッパボルト２０が当接するようホルダ６を動かすことにより直角位置の位置決めを行い、設定後切断作業を行う。
【図面の簡単な説明】
【００２４】
【図１】本発明の実施形態を示す卓上切断機の左側面図である。
【図２】図１の部分背面図である。
【図３】図１の正面図である。
【図４】図２のＩ−Ｉ線断面図（左傾斜位置）である。
【図５】図２のＩ−Ｉ線断面図（直角位置）である。
【図６】図３の左傾斜位置を示す正面図である。
【図７】図３の右傾斜位置を示す正面図である。
【図８】モ−ルディング材の施工例である。
【図９】モ−ルディング材の施工例の斜視図である。
【図１０】モ−ルディング材の加工例である。
【図１１】モ−ルディング材の加工例である。
【図１２】モ−ルディング材の加工例である。
【図１３】モ−ルディング材の加工例である。
【図１４】従来例を示す卓上切断機の左側面図である。
【図１５】図１４のの部分背面図である。
【図１６】従来例を示すボ−ルインデックスによる傾斜部の断面図である。
【００２５】
２…ターンテーブル、６…ホルダ、８…切断工具部、１３…ストッパピン、２２…穴部。２２ａ，２２ｂ…穴部の側面。
【図１】
2006188073.tif 000003
【図２】
2006188073.tif 000004
【図３】
2006188073.tif 000005
【図４】
2006188073.tif 000006
【図５】
2006188073.tif 000007
【図６】
2006188073.tif 000008
【図７】
2006188073.tif 000009
【図８】
2006188073.tif 000010
【図９】
2006188073.tif 000011
【図１０】
2006188073.tif 000012
【図１１】
2006188073.tif 000013
【図１２】
2006188073.tif 000014
【図１３】
2006188073.tif 000015
【図１４】
2006188073.tif 000016
【図１５】
2006188073.tif 000017
【図１６】
2006188073.tif 000018